【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
以下：
【化１】
2005508414.tif 000001
を含むプレポリマーであって、
ここで、該Ｖ基は、一般構造Ｒ３ＣＨ＝Ｃ（Ｒ４）（ＣＨ２）ｐ（Ｗ）ｑ（Ｚ）ｑ（Ａｒ）ｑＲ５の同じかまたは異なる不飽和の光重合可能または熱重合可能な置換基であり得；
該Ｒ基は、同じかまたは異なる飽和Ｃ１−１０炭化水素置換基であり得；
該Ｒ１基は、同じかまたは異なるＣ１−１０アルキル置換基であり得；
該Ｒ２基は、Ｃ１−１０アルキル置換基、Ｃ１−１０フルオロアルキル置換基、Ｃ２−２０アルキル−フルオロアルキル置換基およびＣ６−３０芳香族置換基からなる群から選択され、同じであっても異なっていてもよく；
該Ｌ基は、該プレポリマー内に存在してもしなくてもよく、同じかまたは異なるウレタン結合、尿素結合またはエステル結合であり得；
ｙは、アルキル置換基に対する芳香族置換基のモル比が１：４以上であるように、シロキサン部分とランダムに異なる上で規定したようなＲ２基との合計を表す、４より大きい自然数であり；
ｘは、該プレポリマー分子量が少なくとも約１０００であり、かつ屈折率が少なくとも約１．４５であるような自然数であり；
Ｒ３は、水素、Ｃ１−１０アルキルおよび−ＣＯ−Ｕからなる群から選択され；
Ｒ４は、水素およびメチルからなる群から選択され；
Ｒ５は、Ｃ１−１０二価アルキレンラジカルであり；
該Ｗ基は、−ＣＯ−および−ＯＣＯ−からなる群から選択され；
該Ｚ基は、−Ｏ−および−ＮＨ−からなる群から選択され；
該Ａｒ基は、同じかまたは異なるＣ６−３０芳香族ラジカルであり得；
ｐは、７未満の負でない整数であり；
ｑは、０または１のいずれかであり；そして
Ｕは、−ＯＣ１−１２アルキルラジカル、−ＳＣ１−１２アルキルラジカルおよび−ＮＨＣ１−１２アルキルラジカルからなる群から選択される、プレポリマー。
【請求項２】
前記Ｖ基の少なくとも１個が、アクリレート基である、請求項１に記載のプレポリマー。
【請求項３】
前記Ｖ基の少なくとも１個が、メタクリレート基である、請求項１に記載のプレポリマー。
【請求項４】
前記Ｌ基の少なくとも１個が、ウレタン結合である、請求項１に記載のプレポリマー。
【請求項５】
各Ｒ１基がメチルであり、かつ各Ｒ２基がフェニルである、請求項１に記載のプレポリマー。
【請求項６】
各Ｒ基がトリメチレンまたはテトラメチレンである、請求項１に記載のプレポリマー。
【請求項７】
請求項１に記載の１種以上のプレポリマーと、１種以上の芳香族モノマー、アルキルモノマー、親水性モノマーまたはそれらの組み合わせとの共重合を通して製造された、ポリマー性組成物。
【請求項８】
前記１種以上の芳香族モノマーが、アクリレート、メタクリレート、アクリルアミドおよびメタクリルアミドからなる群から選択され、各々が芳香族置換基を有する、請求項７に記載のポリマー性組成物。
【請求項９】
前記１種以上の芳香族モノマーが、フェニルアクリレート、フェニル（メタ）アクリレート、フェニルアクリルアミド、ベンジルアクリレート、ベンジルアクリルアミド、フェニルエチルアクリレート、フェニル（メタ）アクリルアミド、フェニルエチル（メタ）アクリレートおよびベンジル（メタ）アクリレートからなる群から選択される、請求項７に記載のポリマー性組成物。
【請求項１０】
前記１種以上のアルキルモノマーが、Ｃ１−２０アルキルアクリレート、Ｃ１−２０アルキルメタクリレート、Ｃ５−２０アクリルアミドおよびＣ５−２０メタクリルアミドからなる群から選択される、請求項７に記載のポリマー性組成物。
【請求項１１】
前記１種以上のアルキルモノマーが、メチルアクリレート、エチルアクリレート、ｎ−プロピルアクリレート、ｎ−ブチルアクリレート、ｎ−ヘキシルアクリレート、ｎ−オクチルアクリレート、２−エチルヘキシルアクリレート、ｎ−プロピルメタクリレート、ｎ−ブチルメタクリレート、ｎ−ヘキシルメタクリレート、ｎ−オクチルメタクリレート、２−エチルヘキシルメタクリレートおよびｎ−オクチルアクリルアミドからなる群から選択される、請求項７に記載のポリマー性組成物。
【請求項１２】
前記１種以上の親水性モノマーが、Ｎ，Ｎ−ジメチルアクリルアミド、Ｎ−ビニルピロリドン、２−ヒドロキシエチルメタクリレート、グリセロールメタクリレート、２−ヒドロキシエチルアクリレート、アクリルアミド、ｎ−メチルアクリルアミド、アクリル酸および（メタ）アクリル酸からなる群から選択される、請求項７に記載のポリマー性組成物。
【請求項１３】
請求項１に記載のプレポリマーを製造する方法であって、以下：
ヒドロキシアルキル末端ポリシロキサンを、ジイソシアネート、二塩酸またはホスゲンと反応させる工程；および
ヒドロキシ含有モノマーまたはアミノ含有モノマーでエンドキャップする工程、
を包含する、方法。
【請求項１４】
前記ジイソシアネートが、イソホロンジイソシアネートである、請求項１３に記載の方法。
【請求項１５】
眼科デバイスの製造に有用な、請求項７に記載のポリマー性組成物を製造する方法であって、以下：
１種以上のポリシロキサンプレポリマーを、１種以上の芳香族モノマー、アルキルモノマーまたは親水性モノマーと反応させる工程、
を包含する、方法。
【請求項１６】
前記１種以上の芳香族モノマーが、アクリレート、メタクリレート、アクリルアミドおよびメタクリルアミドからなる群から選択され、各々が芳香族置換基を有する、請求項１５に記載の方法。
【請求項１７】
前記１種以上の芳香族モノマーが、フェニルアクリレート、フェニル（メタ）アクリレート、フェニルアクリルアミド、ベンジルアクリレート、ベンジルアクリルアミド、フェニルエチルアクリレート、フェニル（メタ）アクリルアミド、フェニルエチル（メタ）アクリレートおよびベンジル（メタ）アクリレートからなる群から選択される、請求項１５に記載の方法。
【請求項１８】
前記１種以上のアルキルモノマーが、Ｃ１−２０アルキルアクリレート、Ｃ１−２０アルキルメタクリレート、Ｃ５−２０アクリルアミドおよびＣ５−２０メタクリルアミドからなる群から選択される、請求項１５に記載の方法。
【請求項１９】
前記１種以上のアルキルモノマーが、メチルアクリレート、エチルアクリレート、ｎ−プロピルアクリレート、ｎ−ブチルアクリレート、ｎ−ヘキシルアクリレート、ｎ−オクチルアクリレート、２−エチルヘキシルアクリレート、ｎ−プロピルメタクリレート、ｎ−ブチルメタクリレート、ｎ−ヘキシルメタクリレート、ｎ−オクチルメタクリレート、２−エチルヘキシルメタクリレートおよびｎ−オクチルアクリルアミドからなる群から選択される、請求項１５に記載の方法。
【請求項２０】
前記１種以上の親水性モノマーが、Ｎ，Ｎ−ジメチルアクリルアミド、Ｎ−ビニルピロリドン、２−ヒドロキシエチルメタクリレート、グリセロールメタクリレート、２−ヒドロキシエチルアクリレート、アクリルアミド、ｎ−メチルアクリルアミド、アクリル酸および（メタ）アクリル酸からなる群から選択される、請求項１５に記載の方法。
【請求項２１】
請求項１５に記載の方法を通して製造されるポリマー性組成物を使用して、眼科デバイスを製造する方法であって、以下：
前記ポリマー性組成物をロッドの形状に成形する工程；
該ロッドをディスクに旋削または機械加工する工程；
該ディスクを眼科デバイスに旋削または機械加工する工程、
を包含する、方法。
【請求項２２】
請求項２１に記載の方法を通して製造された眼科デバイスを使用する方法であって、以下：
眼の角膜に切開を形成する工程：および
該眼科デバイスを移植する工程、
を包含する、方法。
【請求項２３】
請求項１に記載のプレポリマーの１種以上から製造されたポリマー性組成物を使用して眼科デバイスを製造する方法であって、以下：
硬化する前に、該ポリマー性組成物を型内に注ぐ工程；
該ポリマー性組成物を硬化する工程；および
硬化後、該型から該ポリマー性組成物を取り出す工程、
を包含する、方法。
【請求項２４】
請求項２１または２３に記載の方法を通して製造された眼科デバイスを使用する方法であって、以下：
眼の角膜内に切開を形成する工程；および
該眼科デバイスを移植する工程、
を包含する、方法。
【請求項２５】
以下：
【化２】
2005508414.tif 000002
を含むプレポリマーであって、
ここで、ＩＰＤＩは、イソシアネート基を除去した後のイソホロンジイソシアネート残基を表し、
該Ｐｈ基は、同じかまたは異なる芳香族置換基であり、そして
ｘは、該プレポリマー分子量が少なくとも約１０００であり、かつ屈折率が少なくとも約１．４５であるような自然数である、プレポリマー。